(57)【要約】【課題】シールドカバーの高さを低くしながらも、シールドカバーを変形及び破損させることなく容易に固定及び取り外しできるようにする。【解決手段】シールドフレーム３及びシールドカバー４に互いの凹凸形状を嵌合させることでシールドカバー４を固定する係合部３ａ及び被係合部４ｂをそれぞれ設け、シールドカバー４の側板４ａにおける被係合部４ｂの近傍に切欠４ｃを形成し、シールドフレーム３に側面視で切欠４ｃの裏側に治具１０を挿入可能な治具用凹部３ｂを形成する。【選択図】図１
2015146365.tif 000002
【特許請求の範囲】
【請求項１】
プリント配線基板上に実装された電子部品を覆う枠状のシールドフレームと、該シールドフレームを上方から覆って上記電子部品を電気的にシールドする、側板を有する蓋状のシールドカバーとを備えたシールド構造において、
上記シールドフレーム及び上記シールドカバーには、互いの凹凸形状を嵌合させることで該シールドカバーを固定する係合部及び被係合部がそれぞれが設けられ、
上記シールドカバーの側板における上記被係合部の近傍には、切欠が形成され、
上記シールドフレームには、側面視で上記切欠の裏側に治具を挿入可能な治具用凹部が形成されている
ことを特徴とするシールド構造。
【請求項２】
請求項１に記載のシールド構造において、
上記切欠は、側面視で上記プリント配線基板に向かって広がる三角形状であり、該三角形状の斜辺が上記治具用凹部と重なっている
ことを特徴とするシールド構造。
【請求項３】
請求項１又は２に記載のシールド構造において、
上記切欠は、上記被係合部を両側から挟むように間隔を空けて形成されている
ことを特徴とするシールド構造。
【請求項４】
請求項１から３までのいずれか１つに記載のシールド構造において、
上記シールドフレームの係合部と上記治具用凹部とが一体の凹溝で形成されている
ことを特徴とするシールド構造。
【請求項５】
請求項１から４までのいずれか１つに記載のシールド構造を備えた携帯端末。
【発明の詳細な説明】
【技術分野】
【０００１】
本発明は、シールド構造及びそれを備えた携帯端末に関するものである。
【背景技術】
【０００２】
従来より、スマートフォンをはじめとする携帯端末において、電子部品を電気的にシールドするシールド構造を設けることは知られている。
【０００３】
例えば、図７に示すように、プリント配線基板１０２に実装可能なシールド構造１０１であって、フレーム形状のシールドベース１０３と、シールドベース１０３に容易に取付けられ、シールドベース１０３内側に実装された電子部品を電気的にシールドするシールドカバー１０４とを備えたものは知られている。
【０００４】
例えば、図７及び図８（ａ）に示すように、シールドカバー１０４の側板１０４ａの内面に突起状の被係合部１０４ｂが形成され、シールドベース１０３側に対応する凹状の係合部１０３ａが設けられている。図８（ｂ）に示すように、被係合部１０４ｂと係合部１０３ａの凹凸関係は逆の場合もある。
【０００５】
そして、図９に示すように、治具１１０を用いてシールドカバー１０４を外す場合には、隙間Ａ’に治具１１０の先端を挿入してプリント配線基板１０２を支点にして引きはがすように上に持ち上げる。
【０００６】
一方、特許文献１のように、シールドカバーを取り外すときに、シールドベースのフレームを支点にシールドカバーを外側に押し広げるように治具が挿入できる切欠き部を設けるものも知られている。
【先行技術文献】
【特許文献】
【０００７】
【特許文献１】特開２００９−２９５８２７号公報
【発明の概要】
【発明が解決しようとする課題】
【０００８】
近年、小型かつ薄型化の流れからシールド構造の高さを低くすることが望まれており、上記特許文献１のように、切欠き部とプリント配線板との間に支点となる固定足を設けることが難しくなっている。このように、ある程度の隙間Ａ’を確保できない場合には、特許文献１のような方法ではシールドカバーを損傷させることなく引きはがすことは難しい。
【０００９】
本発明は、かかる点に鑑みてなされたものであり、その目的とするところは、シールド構造の高さを低くしながらも、シールドカバーを変形及び破損することなく容易に固定及び取り外しできるようにすることにある。
【課題を解決するための手段】
【００１０】
上記の目的を達成するために、この発明では、係合部の近傍に治具を挿入する凹部を設けた。
【００１１】
具体的には、本発明では、プリント配線基板上に実装された電子部品を枠状に覆う枠状のシールドフレームと、該シールドフレームを覆って上記電子部品を電気的にシールドする側板を有する蓋状のシールドカバーとを備えたシールド構造を前提とする。
【００１２】
そして、上記シールド構造においては、
上記シールドフレーム及び上記シールドカバーには、互いの凹凸形状を嵌合させることで該シールドカバーを固定する係合部及び被係合部がそれぞれが設けられ、
上記シールドカバーの側板における上記被係合部の近傍には、切欠が形成され、
上記シールドフレームには、側面視で上記切欠の裏側に治具を挿入可能な治具用凹部が形成されている。
【００１３】
上記の構成によると、シールドカバー側板の切欠からシールドフレームの治具用凹部に治具の先端を差し込み、治具用凹部を支点にシールドカバー側板をめくりあげる。シールドカバーは、通常、弾性のある金属で構成されているので、シールドカバー側板は、損傷を受けることなく容易に取り外される。治具用凹部は、切欠の裏に形成されているので、従来のように上下に設ける場合に比べてシールドカバー及びシールドフレームの高さを抑えることができる。なお、シールドフレーム側の係合部は、凸状でも凹状でもよく、それに係合するようにシールドカバーの側板の被係合部は凹状又は凸状に形成すればよい。なお、ここで、「近傍」とは、近くであるが、適度に距離が離れており、同じ位置にないことをいい、さらに詳しくは、治具で撓ませたときに変形する範囲をいう。
【発明の効果】
【００１４】
以上説明したように、本発明によれば、シールドカバーの側板における被係合部の近傍に切欠を形成し、シールドフレームに側面視で切欠の裏側に治具用凹部を形成したことにより、シールドカバーの高さを低くしながらも、シールドカバーを変形及び破損することなく容易に固定及び取り外しできる。
【図面の簡単な説明】
【００１５】
【図１】本発明の実施形態に係るシールド構造を示し、（ａ）が分解図で、（ｂ）が側面図である。
【図２】図３のII−II線拡大断面図である。
【図３】シールドカバーを治具を用いて外す様子を示す側面図である。
【図４】本発明の実施形態の変形例１に係る図１相当図である。
【図５】本発明の実施形態の変形例１に係る図３相当図である。
【図６】本発明の実施形態の変形例２に係る図１相当図である。
【図７】従来技術に係る図１相当図である。
【図８】（ａ）が図７（ｂ）のVIIIａ−VIIIa線拡大断面図であり、（ｂ）は、（ａ）の変形例である。
【図９】従来技術に係る図３相当図である。
【発明を実施するための形態】
【００１６】
以下、本発明の実施形態を図面に基づいて説明する。
【００１７】
図１は本発明の実施形態のシールド構造１を示し、このシールド構造１は、例えば図示しない携帯電話機などの携帯端末に内蔵されたプリント配線基板２上に設けられている。シールド構造１は、実装されたフラッシュメモリ、ＩＣなどの電子部品（図示せず）を外側から枠状に覆う、ステンレス鋼板等よりなる枠状のシールドフレーム３を備えている。シールドフレーム３は、平面視で矩形枠状、多角形枠状等形状は特に限定されず、上部から対応する平面視形状の蓋状のシールドカバー４で覆われている。シールドカバー４は、ステンレスなどの金属薄板の折曲構造よりなり、複数の矩形状の側板４ａを有し、電子部品を電気的にシールドする役割を果たす。
【００１８】
シールドフレーム３及びシールドカバー４には、互いの凹凸形状を嵌合させることでシールドカバー４を固定する係合部３ａ及び被係合部４ｂがそれぞれが設けられている。本実施形態では、図８（ａ）で例示したように、係合部３ａは凹状とし、被係合部４ｂは凸状とするが、図８（ｂ）で例示したように凹凸関係は、逆でもよい。
【００１９】
そして、この被係合部４ｂを左右両側から挟むようにシールドカバー４の側板４ａにおける被係合部４ｂの近傍には、切欠４ｃが形成されている。本実施形態では、切欠４ｃは、矩形状とするが、半円形等の形状でもよい。
【００２０】
そして、シールドフレーム３には、側面視で切欠４ｃの裏側（真裏）に治具１０を挿入可能な治具用凹部３ｂが形成されている。例えば、この治具用凹部３ｂは、側面視円形の凹部で構成されており、図１（ｂ）に示すように、シールドカバー４でシールドフレーム３を覆ったときに、半円部分が切欠４ｃから露出し、残りの半円部分が切欠４ｃの周縁に隠れている。
【００２１】
以上のように構成したシールド構造１において、シールドカバー４を取り外すときには、図２及び図３に示すように、シールドカバー４の切欠４ｃからシールドフレーム３の治具用凹部３ｂに治具１０の先端を差し込み、治具用凹部３ｂを支点にシールドカバー４側板４ａをめくりあげる。シールドカバー４は、通常、弾性のある金属で構成されているので、適度に変形させることで、シールドカバー４側板４ａは、損傷を受けることなく容易に取り外される。
【００２２】
また、治具用凹部３ｂは、切欠４ｃの裏に形成されているので、図９に示す従来技術のように上下に設ける場合の隙間Ａ’に比べて隙間Ａを大きく保つ必要がなく（Ａ＜Ａ’）、シールドカバー４及びシールドフレーム３の高さを低く抑えることができる。
【００２３】
また、一対の切欠４ｃを、係合部３ａ及び被係合部４ｂを両側から挟むように間隔を空けて配置することにより、右利きと左利きとで治具１０の扱いやすい方向が異なる場合でも、左右どちらからでも治具１０を挿入できるので、取り外しがしやすい。
【００２４】
したがって、本実施形態に係る携帯端末によると、シールドカバー４の側板４ａにおける被係合部４ｂの近傍に切欠４ｃを形成し、シールドフレーム３に側面視で切欠４ｃの裏側に治具用凹部３ｂを形成したことにより、シールドカバー４の高さを低くしながらも、シールド構造１を変形及び破損することなく容易に固定及び取り外しできる。
【００２５】
そして、従来のように治具１１０を挿入するスペースを保つために隙間Ａ’を大きくする必要がなく、携帯端末全体の厚さを薄くすることができる。
【００２６】
−変形例１−
図４及び図５は本発明の実施形態の変形例１を示し、切欠４ｃ’の形状が異なる点で上記実施形態と異なる。なお、以下の各変形例では、図１〜図３と同じ部分については同じ符号を付してその詳細な説明は省略する。
【００２７】
本変形例では、図４（ａ）に示すように、切欠４ｃ’は、側面視でプリント配線基板２に向かって広がる直角三角形状であり、図４（ｂ）に示すように、シールドカバー４でシールドフレーム３を覆った状態で、直角三角形の斜辺が治具用凹部３ｂと重なっている。この構成によると、図５に示すように、治具１０を治具用凹部３ｂに挿入した後、シールドカバー４の側板４ａをめくりあげる方向と、治具１０の引き上げ方向とをできるだけ一致させることができるので、さらにシールドカバー４の取り外しが容易になる。
【００２８】
−変形例２−
図６は本発明の実施形態の変形例２を示し、係合部と治具用凹部の形状が異なる点で上記実施形態と異なる。
【００２９】
本変形例では、シールドフレーム３の係合部と治具用凹部とに対応する部分が例えば一体の直線状の凹溝３ａ’で形成されている。この構成によると、両者が一体なので、製造が容易で、治具用凹部を大きくしやすく、取り外しがさらに容易になる。
【００３０】
（その他の実施形態）
本発明は、上記実施形態について、以下のような構成としてもよい。
【００３１】
すなわち、上記実施形態では、治具用凹部３ｂは、側面視円形としているが、三角形状、矩形状、楕円形状、長円形状等の凹部でもよい。また凹部は孔であってもよい。
【００３２】
上記実施形態では、携帯端末は、携帯電話機としたが、タブレット端末、ＰＨＳ（Personal Handy-phone System ）、ＰＤＡ(Personal DigitalAssistant)、パソコン、モバイルツール、電子辞書、電卓、ゲーム機等であってもよい。
【００３３】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３４】
１      シールド構造
２      プリント配線基板
３      シールドフレーム
３ａ    係合部
３ａ’  凹溝（治具用凹部）
３ｂ    治具用凹部
４      シールドカバー
４ａ    側板
４ｂ    被係合部
４ｃ    切欠
４ｃ’  切欠
１０      治具
【図１】
2015146365.tif 000003
【図２】
2015146365.tif 000004
【図３】
2015146365.tif 000005
【図４】
2015146365.tif 000006
【図５】
2015146365.tif 000007
【図６】
2015146365.tif 000008
【図７】
2015146365.tif 000009
【図８】
2015146365.tif 000010
【図９】
2015146365.tif 000011